(57)【特許請求の範囲】
【請求項１】
ＬＡＮ（Ｌｏｃａｌ Ａｒｅａ Ｎｅｔｗｏｒｋ）回路部及びモデム回路部を備えたコンピュータにおいて，
前記ＬＡＮ回路部と電気的に連結する規格化された既存のＬＡＮプラグまたは該ＬＡＮプラグと異なるサイズを有し，前記モデム回路部と電気的に連結する規格化された既存のモデムプラグのうちいずれか一方を，選択的に挿脱着することが可能な接続口を有する共同接続部と；
前記共同接続部の内側壁に突起状に設けられて，前記ＬＡＮプラグが前記共同接続部に挿入された場合，該ＬＡＮプラグと押圧接触し該ＬＡＮプラグが挿入されたことを示すＬＡＮ信号線種類信号を出力し，前記モデムプラグが前記共同接続部に挿入された場合，該モデムプラグと押圧接触せず該モデムプラグが挿入されたことを示すモデム信号線種類信号を出力する信号線種類検出部と；
前記信号線種類検出部の押圧接触に応じて，前記ＬＡＮ回路部とモデム回路部との双方ではなく，いずれか一方に信号を出力することで，前記共同接続部を介して前記ＬＡＮ回路部または前記モデム回路部のうちいずれか一方とデータ伝達することができるように制御する制御部と；
を含むことを特徴とするコンピュータ。
【請求項２】
前記共同接続部は，
前記ＬＡＮ回路部と前記モデム回路部とが共同に使用する共用ピン接続部と，
前記ＬＡＮ回路部だけを使用する専用ピン接続部と，
から構成されることを特徴とする請求項１に記載のコンピュータ。
【請求項３】
前記信号線種類検出部は，前記共同接続部の内側壁に突起状に設けられて前記ＬＡＮプラグと押圧接触し該ＬＡＮプラグが挿入されたことを示すＬＡＮ信号線種類信号を出力する，または，該モデムプラグと押圧接触せず該モデムプラグが挿入されたことを示すモデム信号線種類信号を出力するスイッチであり，
前記制御部は，前記信号線種類検出部からの前記ＬＡＮ信号線種類信号または前記モデム信号線種類信号に応じて，前記共同接続部を介して前記ＬＡＮ回路部または前記モデム回路部のうちいずれか一方とデータ伝達することができるように制御することを特徴とする請求項１に記載のコンピュータ。
【請求項４】
前記制御部は前記信号線種類検出部の検出結果に基づいて前記共用ピン接続部を制御して，前記ＬＡＮ回路部または前記モデム回路部のいずれか一方とデータ通信することができるように連結するバイステートリレースイッチであって，
前記バイステートリレースイッチは，
ネガティブ端子とポジティブ端子と，
前記共用ピン接続部と連結される第２共通接点と，
前記ＬＡＮ回路部と連結されたＬＡＮ選択端子と，
前記モデム回路部と連結されたモデム選択端子と，
を有し；
前記ネガティブ端子及び前記ポジティブ端子は，
前記信号線種類検出部から前記ＬＡＮ信号線種類信号を受けた場合，前記第２共通接点を前記ＬＡＮ選択端子に連結し，前記信号線種類検出部から前記モデム信号線種類信号を受けた場合，前記第２共通接点を前記モデム選択端子に連結することを特徴とする請求項２に記載のコンピュータ。
【請求項５】
前記共同接続部にプラグが挿入されていない場合，前記制御部は，前記共同接続部を介して前記モデム回路部がデータ伝達できることを決定していることを特徴とする請求項１または３に記載のコンピュータ。
【請求項６】
前記ＬＡＮ回路部及び前記モデム回路部は，前記メインボードに内蔵され，
前記共同接続部は，前記メインボードの一側部に設けられることを特徴とする請求項１に記載のコンピュータ。
【請求項７】
前記ＬＡＮ回路部及び前記モデム回路部は，前記回路部を内蔵するコンボカードで構成され，
前記検出部及び前記制御部は前記コンボカード内に設けられることを特徴とする請求項１に記載のコンピュータ。
【発明の詳細な説明】
【０００１】
【発明の属する技術分野】
本発明は，コンピュータ及びコンピュータデータ通信の制御方法に関する。
【０００２】
【従来の技術】
本明細書では，説明の便宜のため，携帯用コンピュータをコンピュータの一例として説明する。従来の携帯用コンピュータは，図５に示したように，中央処理装置を始めとして，複数のハードウェア及びハードウェアを収容するケーシング１１０を有するコンピュータ本体１０１と，コンピュータ本体１０１に対して折りたたまれ，コンピュータ本体１０１からの画像信号を受領して画像をディスプレイするＬＣＤ（Ｌｉｑｕｉｄ  Ｃｒｙｓｔａｌ  Ｄｉｓｐｌａｙ）とを含む。
【０００３】
コンピュータ本体１０１のケーシング１１０には，一側面１１０ａに，マウス及びキーボードの連結されるＰＳ／２ポート１１０と，ＣＤ−ＲＯＭドライブ１１３と，またはフロピーディスクドライブ（図示せず）とが設けられる。
【０００４】
また，外部とのデータ通信のためのＬＡＮ接続部（ＲＪ４５）１１５と，モデム接続部（ＲＪ１１）１１６とが，ケーシング１１０の一側面１１０ａに設けられる。ＬＡＮ接続部（ＲＪ４５）１１５には，ＬＡＮ通信可能にＬＡＮ信号線１１７が接続され，モデム接続部（ＲＪ１１）１１６には，モデム信号線１１８が接続されて一般電話線を利用したモデム通信を支援する。
【０００５】
以上のような構成により，従来の携帯用コンピュータでは，データ通信をしようとする信号線１１７，１１８をＬＡＮ接続部１１５またはモデム１１６に接続させてデータ通信をする。
【０００６】
【発明が解決しようとする課題】
ところが，従来の携帯用コンピュータの，ケーシング１００の側面１１０ａは，図５に示したように，ハードウェアの設置空間が限定されている。その原因の一つとして，ＬＡＮ接続部１１５とモデム接続部１１６とに接続されるＬＡＮ信号線１１７とモデム信号線１１８の結合方式は似ているが，接続部１１５，１１６に接触されるピンの数（ＬＡＮ信号線は８ピンのプラグを使用，モデム信号線は４ピのンプラグを使用）が異なっており，ケーシング１１０の側面１１０ａに信号線１１７，１１８の挿入される接続部１１５，１１６をそれぞれ別途に設けなければならないということを挙げることができる。
【０００７】
このように，従来の携帯用コンピュータでは，ケーシングに接続部を二つ設けることにより，接続部の外観が複雑になり，ハードウェアの設置空間が狭くなり，製造コストがアップされるという問題がある。
【０００８】
本発明は，従来のコンピュータ及びコンピュータデータ通信の制御方法が有する上記問題点に鑑みてなされたものであり，本発明の目的は，接続部の外観を単純化させ，ハードウェアの設置空間を拡大させることができるコンピュータ及びコンピュータデータ通信の制御方法を提供することである。
【０００９】
【課題を解決するための手段】
上記課題を解決するため，本発明によれば，ＬＡＮ回路部及びモデム回路部を備えたコンピュータにおいて，ＬＡＮ回路部と電気的に連結する規格化された既存のＬＡＮプラグまたは該ＬＡＮプラグと異なるサイズを有し，モデム回路部と電気的に連結する規格化された既存のモデムプラグのうちいずれか一方を，選択的に挿脱着することが可能な接続口を有する共同接続部と，共同接続部の内側壁に突起状に設けられて，ＬＡＮプラグが前記共同接続部に挿入された場合，該ＬＡＮプラグと押圧接触し該ＬＡＮプラグが挿入されたことを示すＬＡＮ信号線種類信号を出力し，モデムプラグが共同接続部に挿入された場合，該モデムプラグと押圧接触せず該モデムプラグが挿入されたことを示すモデム信号線種類信号を出力する信号線種類検出部と，信号線種類検出部の押圧接触に応じて，ＬＡＮ回路部とモデム回路部との双方ではなく，いずれか一方に信号を出力することで，共同接続部を介してＬＡＮ回路部またはモデム回路部のうちいずれか一方とデータ伝達することができるように制御する制御部とを含むコンピュータが提供される。
【００１０】
ここで，共同接続部は，ＬＡＮ回路部とモデム回路部とが共同に使用する共用ピン接続部と，ＬＡＮ回路部だけを使用する専用ピン接続部とから構成され，信号線種類検出部は，共同接続部の内側壁に突起状に設けられてＬＡＮプラグと押圧接触し，該ＬＡＮプラグが挿入されたことを示すＬＡＮ信号線種類信号を出力する，または，該モデムプラグと押圧接触せず該モデムプラグが挿入されたことを示すモデム信号線種類信号を出力するスイッチであり，上記制御部は，信号線種類検出部からのＬＡＮ信号線種類信号またはモデム信号線種類信号に応じて，共同接続部を介してＬＡＮ回路部またはモデム回路部のうちいずれか一方とデータ伝達することができるように制御する。かかる構成によれば，共同接続部に接続された信号線の種類を容易に検出することができる。
【００１１】
また，制御部は，信号線種類検出部の検出結果に基づいて共用ピン接続部を制御して，ＬＡＮ回路部またはモデム回路部のいずれか一方とデータ通信することができるように連結するバイステートリレースイッチで設けることができる。
【００１２】
ここで，制御部がバイステートリレースイッチで設けられる場合，バイステートリレースイッチは，ネガティブ端子とポジティブ端子と，共用ピン接続部の連結される第２共通接点と，ＬＡＮ回路部と連結されたＬＡＮ選択端子と，モデム回路部と連結されたモデム選択端子とを有し，ネガティブ端子及びポジティブ端子は，信号線種類検出部からＬＡＮ信号線種類信号を受けた場合，第２共通接点をＬＡＮ選択端子に連結し，信号線種類検出部からモデム信号線種類信号を受けた場合，第２共通接点をモデム選択端子に連結することができる。また，共同接続部にプラグが挿入されない場合，上記制御部は，共同接続部を介してモデム回路部がデータ伝達できることを決定しているように構成してもよい。
【００１３】
また，ＬＡＮ回路部及びモデム回路部は，メインボードに内蔵され，共同接続部は，メインボードの一側に設けられて，製造コストをダウンさせることができ，利用可能空間を拡大することができるので好ましい。
【００１４】
また，ＬＡＮ回路部及びモデム回路部は，回路部を内蔵するコンボカードで構成され，検出部及び制御部はコンボカード内に設けられることもできる。
【００１５】
一方，ＬＡＮ回路部及びモデム回路部を備えたコンピュータデータ通信の制御方法において，ＬＡＮ回路部と電気的に連結する規格化された既存のＬＡＮプラグまたは該ＬＡＮプラグとは異なるサイズを有し，モデム回路部と電気的に連結する規格化された既存のモデムプラグのうちいずれか一方を選択的に挿脱着することが可能な接続口を有する共同接続部に，ＬＡＮプラグまたはモデムプラグを結合する段階と；共同接続部と結合したプラグはＬＡＮプラグまたはモデムプラグのうちどちらのプラグであるかを検出する段階と；検出した結果，プラグの種類に従って，ＬＡＮ回路部とモデム回路部との双方ではなく，いずれか一方に信号を出力することで，共同接続部をＬＡＮ回路部またはモデム回路部のうちのいずれか一方とデータ通信することができるように連結する段階とを含むことを特徴とするコンピュータデータ通信の制御方法が提供される。
【００１６】
かかる構成によれば，共用の接続部に接続された端子の種類を判定して，種類に応じた信号を伝達することで，接続部の外観を単純化させ，ハードウェアの設置空間を拡大させることができるコンピュータ及びコンピュータデータ通信の制御方法を提供することができる。
【００１７】
【発明の実施の形態】
以下に添付図面を参照しながら，本発明にかかるコンピュータ及びコンピュータデータ通信の制御方法の好適な実施の形態について詳細に説明する。なお，本明細書及び図面において，実質的に同一の機能構成を有する構成要素については，同一の符号を付することにより重複説明を省略する。
【００１８】
図１は，本実施の形態にかかるコンピュータシステムの斜視図であり，図２は図１の部分拡大斜視図，図３及び図４は，本実施の形態にかかる携帯用コンピュータの通信回路を示した内部回路図である。図１および図２に示したように，本実施の形態にかかる携帯用コンピュータは，中央処理装置を始めとして複数のハードウェアを内蔵するコンピュータ本体１と，コンピュータ本体１からの画像信号を受領して画像をディスプレイするＬＣＤ５０とを有する。
【００１９】
コンピュータ本体１は，外観を形成するケーシング１０と，ケーシング１０内に設けられ，図３および図４に示すように中央処理装置及びＲＡＭ等の装着されるメインボード２０を始めとして複数のハードウェアとを有する。
【００２０】
ケーシング１０には，図１に示したように，一側面１０ａにマウス及びキーボードの挿入されるＰＳ／２ポート１１と，ＣＤ−ＲＯＭドライブ１３，またはフロピーディスクドライブ（図示せず）とが設けられる。また，音声出力のためのサウンドジャック１９が，一側面１０ａの後方に設けられる。さらに，外部とのデータ通信のためのＬＡＮ信号線１７とモデム信号線１８とが，共同に接続される共同接続部１５が，ＰＳ／２ポート１１とサウンドジャック１９との間に設けられる。
【００２１】
共同接続部１５は，図１及び図２に示したように，一般的なＬＡＮ信号線１７で使用される８ピンプラグと，モデム信号線１８で使用される４ピンプラグと，が共同に接続することができるように設けられる。共同接続部１５は，二つの信号線１７，１８が全部接続することができるように８ピン接続部として構成され，共同接続部１５には，信号線１７，１８の種類を検出する，信号線種類検出部３０が設けられる。
【００２２】
ここで，モデム信号線１８は２ピン，４ピン，６ピンを有するプラグとして構成されるが，ピン数に関わらず，中央の２ピン（４番及び５番のピンだけを使用）だけが信号を伝達し，ＬＡＮ信号線１７の場合は８ピンを全部使用する。
【００２３】
従って，共同接続部１５の１，２，３，６，７，８番の接続部は，ＬＡＮ信号線１７だけが挿入される専用ピン接続部として使用され，共同接続部１５の４，５番の接続部はＬＡＮ信号線１７とモデム信号線１８とが共同に挿入される共同ピン接続部として使用される。
【００２４】
信号線種類検出部３０は，図２に示したように，共同接続部１５の一側内壁に接触スイッチ形態で設けられる。信号線種類検出部３０は，共同接続部１５に接触される信号線１７，１８との接触により信号線１７，１８の種類を検出する。８ピン接続部となった共同接続部１５にＬＡＮ信号線１７が接続されると，ＬＡＮ信号線１７が，信号線種類検出部３０であるスイッチを接触加圧して，図３に示したｐｎｐトランジスタ３５を経て，制御部であるバイステートリレースイッチ（Ｂｉ  Ｓｔａｔｅ  Ｒｅｌａｙ  Ｓｗｉｔｃｈ）４０に，ハイ信号を伝達する。
【００２５】
また，共同接続部１５にＬＡＮ信号線１７ではなくモデム信号線１８が接続されると，信号線種類検出部３０はスイッチを接触加圧せず，これにより，ｐｎｐトランジスタ３５を経てバイステートリレースイッチ４０に，ロー信号を伝達する。
【００２６】
ｐｎｐトランジスタ３５は，信号線種類検出部３０とバイステートリレースイッチ４０との間に設けられて，信号線種類検出部３０から伝達された検出信号をバイステートリレースイッチ４０のネガティブ端子ＮＥＧに伝達する。
【００２７】
制御部であるバイステートリレースイッチ４０は，２−ステート／２−チャネルからなる。バイステートリレースイッチ４０はＶＣＣの印加されるポジティブ端子ＰＯＳと，ｐｎｐトランジスタ３５を通じて，信号線種類検出部３０からの信号の伝達されるネガティブ端子ＮＥＧと，共同接続部１５の中で共用ピン接続部と連結される共通接点１Ｓ２，２Ｓ２（図３参照）と，ＬＡＮ通信可能にＬＡＮ回路部２１と連結されるＬＡＮ選択端子１Ｓ３，２Ｓ３と，モデム通信可能にモデム回路部２３と連結されるモデム選択端子１Ｓ１，２Ｓ１とを有する。
【００２８】
ポジティブ端子ＰＯＳは，ネガティブ端子ＮＥＧの状態に従って，それぞれの連結状態が異なる。図３に示したように，リレーは，機械式リレーだけでなく半導体（ＭＯＳ）方式のリレーでも構成することができる。
【００２９】
ネガティブ端子ＮＥＧには，信号線種類検出部３０からの検出結果に従って，信号線種類検出部３０からハイ信号またはロー信号が入力される。ハイ信号が入力された場合，ネガティブ端子ＮＥＧは共通接点２Ｓ２を，図３に示したように，ＬＡＮ選択端子２Ｓ３と連結させて，グラウンド端子と連結させる。
【００３０】
また，ロー信号が入力された場合，図４に示したように，ネガティブ端子ＮＥＧは，共通接点２Ｓ２をモデム選択端子２Ｓ１と連結させる。ここで，ポジティブ端子ＰＯＳはネガティブ端子ＮＥＧに従って，ハイ信号時には共通接点１Ｓ２をＬＡＮ選択端子１Ｓ３と連結させ，ネガティブ端子ＮＥＧにロー信号入力時には共通接点１Ｓ２をモデム選択端子１Ｓ１と連結させる。
【００３１】
以上の構成に従って，共同接続部１５にＬＡＮ信号線１７及びモデム信号線１８の挿入時，それぞれＬＡＮ通信及びモデム通信ができるように連結する過程を図３及び図４を参照しながら説明すると，次の通りである。
【００３２】
まず，本実施の形態に従って，ＬＡＮ回路部２１及びモデム回路部２３を内蔵するメインボード２０に，ＬＡＮ信号線１７とモデム信号線１８とが共同に接続できる共同接続部１５が，メインボード２０の一側に設けられる。これにより，共同接続部１５に通信しようとする信号線１７，１８の一つを接続させる。信号線１７，１８が共同接続部１５に挿入されると，信号線種類検出部３０は接続された信号線がＬＡＮ信号線１７であるかモデム信号線１８であるかを検出して，ｐｎｐトランジスタ３５に検出信号を伝達する。信号線種類検出部３０で接続された信号線１７，１８の種類を検出する過程は前述の通りである。
【００３３】
これにより，共同接続部１５に信号線１７，１８が挿入されると，信号線種類検出部３０が信号線の接触可否に従ってｐｎｐトランジスタ３５にロー信号（モデム信号線）またはハイ信号（ＬＡＮ信号線）を伝達する。
【００３４】
ここで，図３に示したように，共同接続部１５にＬＡＮ信号線１７が挿入されると，信号線種類検出部３０はｐｎｐトランジスタ３５にハイ信号を伝達する。ｐｎｐトランジスタ３５は，伝達されたハイ信号をネガティブ端子ＮＥＧに伝達する。これにより，ネガティブ端子ＮＥＧはハイ信号に従って共通接点２Ｓ２を，図３に示したように，グラウンド端子を有するＬＡＮ選択端子２Ｓ３と連結させる。これにより，共同ピン接続部の５ピンに伝達された信号はＬＡＮ選択端子２Ｓ３を介して，図３に示したように，グラウンド端子に伝達される。
【００３５】
また，ポジティブ端子ＰＯＳも，やはりネガティブ端子ＮＥＧの状態に従って共通接点１Ｓ２をＬＡＮ選択端子１Ｓ３と連結させる。これにより，共同接続部１５の共同ピン接続部の４ピンに伝達された信号はＬＡＮ選択端子１Ｓ３を介してグラウンド端子に伝達される。
【００３６】
従って，共同接続部１５にＬＡＮ信号線１７が挿入されれば，共同接続部１５の専用ピン接続ピンの１，２，３，６番の接続部は，ＬＡＮ回路部２１と直接連結されることにより，１，２，３，６番接続部に伝達される信号はＬＡＮ回路部２１に直接伝達される（図３参照）。また，７，８番の専用ピン接続部は，グラウンド端子と直接連結されることにより，７，８番専用ピン接続部に伝達された信号はグラウンド端子に伝達される（図３参照）。また，共同接続部１５の４，５番共同ピン接続部に伝達された信号はバイステートリレースイッチ４０によりグラウンド端子に伝達される。このように，共同接続部１５に伝達された信号の４，５，７，８，番側に伝達された信号は，グラウンド端子に伝達され，１，２，３，６番接続部に伝達された信号は，ＬＡＮ回路部２１に伝達されることにより，ＬＡＮ通信可能に連結される。
【００３７】
ここで，図４に示したように，共同接続部１５にモデム信号線１８が挿入されると，信号線種類検出部３０はｐｎｐトランジスタ３５にロー信号を伝達する。ｐｎｐトランジスタ３５は伝達されたハイ信号をバイステートリレースイッチ４０のネガティブ端子ＮＥＧに伝達する。これにより，ネガティブ端子ＮＥＧはロー信号に従って第２共通接点Ｓ２Ｓを，図４に示したように，モデム回路部２３と繋がったモデム選択端子２Ｓ１と連結させる。これにより，共同ピン接続部の５ピンに伝達された信号は，モデム選択端子２Ｓ１に沿って，図３に示したように，モデム回路部２３に伝達される。
【００３８】
また，ポジティブ端子ＰＯＳも，やはり，ネガティブ端子ＮＥＧの状態に従って共通接点１Ｓ２をモデム選択端子１Ｓ１と連結させる。これにより，共同接続部１５の共同ピン接続部の４ピンに伝達された信号は，モデム選択端子１Ｓ１を介してモデム回路部２３に伝達される。このように，共同接続部１５の４，５番接続部に伝達された信号がモデム回路部２３に伝達されることにより，モデム通信可能に連結される。
【００３９】
前述した実施の形態では，ＬＡＮ回路部２１及びモデム回路部２３がメインボード２０に一体に設けられることについて詳述したが，ＬＡＮ回路部２１及びモデム回路部２３が一体のカードで形成されるコンボカード（図示せず）で設けることもでき，この場合，共同接続部１５と，バイステートリレースイッチ４０と，信号線種類検出部３０と，はコンボカードに設けられる。
【００４０】
前述した実施の形態では，携帯用コンピュータに例えて詳述したが，これは一つの実施の形態に過ぎなく，一般のデスクタップコンピュータにも適用することもできる。
【００４１】
以上のように，ＬＡＮ信号線とモデム信号線とが共同に接続可能な共同接続部を設け，また，共同接続部に接続された信号線の種類を検出する信号線種類検出部と，接続された信号線の種類に従ってＬＡＮ回路部またはモデム回路部にデータ伝達可能に連結する制御部とを設けることにより，製造コストを削減できるとともに，ハードウェアの設置空間が拡大されたコンピュータを提供することができる。
【００４２】
【発明の効果】
前述したように，本発明によると，接続部の外観が単純化され，製造コストが削減できるとともに，ハードウェアの設置空間が拡大されたコンピュータを提供することができる。
【図面の簡単な説明】
【図１】携帯用コンピュータ１の斜視図である。
【図２】図１のＡ部分拡大斜視図である。
【図３】携帯用コンピュータ１の通信回路を示した内部回路図である。
【図４】携帯用コンピュータ１の通信回路を示した内部回路図である。
【図５】従来の携帯用コンピュータの斜視図である。
【符号の説明】
１  コンピュータ本体
１０  ケーシング
１１  ＰＳ／２ポート
１３  ＣＤ−ＲＯＭドライブ
１５  共同接続部
１７  ＬＡＮ信号線
１８  モデム信号線
１９  サウンドジャック
２０  メインボード
２１  ＬＡＮ回路部
２３  モデム回路部
３０  信号線種類検出部
３５  ｐｎｐトランジスタ
４０  バイステートリレースイッチ
５０  ＬＣＤ
【図１】
0003686605.tif 000002
【図２】
0003686605.tif 000003
【図３】
0003686605.tif 000004
【図４】
0003686605.tif 000005
【図５】
0003686605.tif 000006